(57)【要約】【課題】使用に伴う使用者の不快感と不便を軽減することが可能な非密着型酸素マスクを提供する。【解決手段】例えば壁に酸素供給ノズルが設けられた病室等で使用され、酸素供給ノズルから供給される酸素を通す酸素管１と、酸素管１が接続され酸素管１からの酸素を使用者側に放出させるマスク部２と、マスク部２の位置を調節可能に保持するアーム３と、アーム３をベッド１０の頭部側板１０ａ等に固定して支持するアーム支持部材４と、を備えた構成を有している。【選択図】図１
2007296211.tif 000002
【特許請求の範囲】
【請求項１】
酸素を通す酸素管と、前記酸素管が接続され前記酸素管からの酸素を使用者側に放出させるマスク部と、前記マスク部の位置を調節可能に保持するアームと、前記アームを外部に固定して支持するアーム支持部材と、を備えたことを特徴とする非密着型酸素マスク。
【請求項２】
前記マスク部が、前記アームに対して向きを変えられるように前記アームに接続されるマスク保持部を有することを特徴とする請求項１に記載の非密着型酸素マスク。
【請求項３】
前記マスク部が、鼻から口の外方に亘って湾曲して広がり、酸素を供給しうる領域を鼻の左右に広げるようになっていることを特徴とする請求項１又は請求項２に記載の非密着型酸素マスク。
【請求項４】
前記マスク部が、前記マスク部を使用者の耳又は頭部に係止するマスク係止部材を備え、前記アームが前記マスク部に着脱可能に取り付けられていることを特徴とする請求項１乃至請求項３のいずれか一項に記載の非密着型酸素マスク。
【請求項５】
前記マスク係止部材が、耳掛けゴムであることを特徴とする請求項４に記載の非密着型酸素マスク。
【請求項６】
前記マスク部が、前記耳掛けゴムを係止する耳掛け係止爪を有することを特徴とする請求項５に記載の非密着型酸素マスク。
【発明の詳細な説明】
【技術分野】
【０００１】
本発明は、患者等への酸素供給に使用する非密着型酸素マスクに関する。
【背景技術】
【０００２】
酸素マスクは、例えば酸素供給ノズルが壁に設けられた病室等で使用され、酸素供給ノズルからの酸素をビニール管でマスク部まで通し患者に供給するようになっている。酸素マスクは、使用者の動きを確保するために、使用者が顔に装着する必要がある。従来、使用者は、装着用のゴムバンドを頭に巻いて酸素マスクを顔に密着させて使用していた（例えば、特許文献１参照。）。
【特許文献１】特開２００５−２５３９２５号公報
【発明の開示】
【発明が解決しようとする課題】
【０００３】
しかしながら、従来の酸素マスクでは、使用者が酸素マスクを装着してなければ、酸素を供給することができないという問題があった。そのため、睡眠時等の動きの少ない場合でも、酸素マスクを同様に装着する必要があり、使用者に圧迫感、顕部締め付け感等の不快感を与えていた。また、酸素マスクを装着するため、飲食等の際、酸素の供給を受けにくいという問題があった。
【０００４】
以上の現状に鑑み、本発明の目的は、使用に伴う使用者の不快感と不便を軽減することが可能な非密着型酸素マスクを提供する。
【課題を解決するための手段】
【０００５】
上記の課題を解決すべく、本発明は以下の構成を提供する。
請求項１に係る発明は、酸素を通す酸素管と、前記酸素管が接続され前記酸素管からの酸素を使用者側に放出させるマスク部と、前記マスク部の位置を調節可能に保持するアームと、前記アームを外部に固定して支持するアーム支持部材と、を備えたことを特徴とする。
【０００６】
請求項２に係る発明は、請求項１の非密着型酸素マスクにおいて、前記マスク部が、前記アームに対して向きを変えられるように前記アームに接続されるマスク保持部を有することを特徴とする。
【０００７】
請求項３に係る発明は、請求項１又は請求項２の非密着型酸素マスクにおいて、前記マスク部が、鼻から口の外方に亘って湾曲して広がり、酸素を供給しうる領域を鼻の左右に広げるようになっていることを特徴とする。
【０００８】
請求項４に係る発明は、請求項１乃至請求項３のいずれか一項の非密着型酸素マスクにおいて、前記マスク部が、前記マスク部を使用者の耳又は頭部に係止するマスク係止部材を備え、前記アームが前記マスク部に着脱可能に取り付けられていることを特徴とする。
【０００９】
請求項５に係る発明は、請求項４の非密着型酸素マスクにおいて、前記マスク係止部材が、耳掛けゴムであることを特徴とする。
【００１０】
請求項６に係る発明は、請求項５の非密着型酸素マスクにおいて、前記マスク部が、前記耳掛けゴムを係止する耳掛け係止爪を有することを特徴とする。
【発明の効果】
【００１１】
請求項１に係る発明によれば、酸素を通す酸素管と、酸素管が接続され酸素管からの酸素を使用者側に放出させるマスク部と、マスク部の位置を調節可能に保持するアームと、前記アームを外部に固定して支持するアーム支持部材と、を備えるため、使用者が装着することなく酸素の供給を受けられ、もって使用に伴う不快感、顕部締め付け感及び不便を軽減することが可能な非密着型酸素マスクを実現することができる。
【００１２】
請求項２に係る発明によれば、上記請求項１の効果に加えて、マスク部が、アームに対して向きを変えられるようにアームに接続されるマスク保持部を有するため、使用者に応じてマスクを調節でき、使用の利便性を向上することができる。
【００１３】
請求項３に係る発明によれば、上記請求項１又は請求項２の効果に加えて、マスク部が、鼻から口の外方に亘って湾曲して広がり、酸素を供給しうる領域を鼻の左右に広げるようになっているため、頭部の左右の動きの影響を緩和して酸素を供給しうる領域を広げることができる。
【００１４】
請求項４に係る発明によれば、上記請求項１乃至請求項３のいずれか一項の効果に加えて、マスク部が、マスク部を使用者の耳又は頭部に係止するマスク係止部材を備え、アームがマスク部に着脱可能に取り付けられているため、アームを外して装着することもできる。
【００１５】
請求項５に係る発明によれば、上記請求項４の効果に加えて、マスク係止部材が、耳掛けゴムであるため、簡易に装着することができる。
【００１６】
請求項６に係る発明によれば、上記請求項５の効果に加えて、マスク部が、耳掛けゴムを係止する耳掛け係止爪を有するため、装着しないときに耳掛けゴムを動かないようにすることができる。
【発明を実施するための最良の形態】
【００１７】
以下、実施例を示した図面を参照しつつ本発明の実施の形態について説明する。
図１は、本発明による非密着型酸素マスクの一実施例を模式的に示す斜視図である。非密着型酸素マスクは、例えば壁に酸素供給ノズルが設けられた病室等で使用され、酸素を通す酸素管１と、酸素管１に接続され酸素管１からの酸素を使用者側に放出させるマスク部２と、マスク部２を保持するアーム３と、アーム３を外部に固定して支持するアーム支持部材４とを備える。
【００１８】
酸素管１は、例えばビニール等の可撓性を有する樹脂材料を用いて形成され、マスク部２に接続されて図示しない酸素供給ノズルからマスク部２に酸素を通すようになっている。図１は、酸素管１が、ベッド１０の下側に設けられた図示しない酸素供給ノズルとマスク部２とを接続する構成の一例を示す。
【００１９】
図２はマスク部の一実施例を模式的に示す図であり、図２（ａ）〜図２（ｃ）はそれぞれマスク部の正面図、側面図、及び下面図であり、図２（ｄ）は図２（ａ）に示すＡ−Ａ’断面図である。マスク部２は、図２に示すように、使用者側に酸素を供給するマスク本体２ａと、必要に応じてマスク部２を装着するための耳掛けゴム２ｂと、耳掛けゴム２ｂを係止する耳掛け係止爪２ｃと、酸素管１及びアーム３が接続され酸素管１からの酸素を通すため連通部材２ｄとを有する。
【００２０】
マスク本体２ａは、例えばビニール等の樹脂からなり、装着した場合に、図３に示すように鼻の上方、口の外方、及び口の下方まで亘る領域を覆うことができるようになっている。図３は、マスク部がアームによって保持された状態の非密着型酸素マスクを示す説明図であり、図３（ａ）〜図３（ｃ）はそれぞれ正面図、側断面図、及び下面図である。また、マスク本体２ａは、例えば、中央部分に連通部材２ｄが形成される。さらに、マスク本体２ａは、周辺部に弾性を有する部分が設けられ、装着した場合に顔に合わせて変形するようになっている。マスク本体２ａは、さらに、鼻から耳又は頬の方向に湾曲して広がり、酸素を供給しうる領域を鼻の左右に広げ、顔の左右方向への動きの自由度を広げている。
【００２１】
図４は、耳掛け係止爪から耳掛けゴムを外した状態のマスク部を示す図であり、図４（ａ）〜図４（ｃ）はそれぞれマスク部の正面図、側面図、及び下面図である。同様に、図５は、アームを外して装着した状態の非密着型酸素マスクを示す説明図であり、図５（ａ）〜図５（ｃ）はそれぞれ正面図、側断面図、及び下面図である。耳掛けゴム２ｂは、図５に示すように、非密着型酸素マスクを装着した場合に頬側となる左右の周辺領域の対応する１対の所定箇所に設けられ、耳掛け係止爪２ｃは、耳掛けゴム２ｂが設けられる場所よりも中央寄りの場所に設けられ、例えばフック状、ピン状の形状を有する。非密着型酸素マスクを強く装着する用途には、耳掛けゴム２ｂを、先端部に面ファスナーが設けられたベルトに代え、面ファスナーを後頭部等の頭部の所定位置上で取り外し可能に接続して、マスク部２を装着するのでもよい。
【００２２】
連通部材２ｄは、図２（ｄ）に示すように、先端からマスク本体２ａ側に連通する開口部２ｄ１と、アーム３に接続されマスク部２を保持するマスク保持部２ｄ２とが形成されている。連通部材２ｄの先端には、図３に示すように、酸素管１が例えば着脱可能に接続される。開口部２ｄ１は、例えば図２（ｄ）に示すようにＬ字状の側断面形状を有するのでもよい。マスク保持部２ｄ２は、マスク本体２ａに手で回転力を加えることによって向きが変えられ、通常の使用状態では動かないようになっている。具体的には、マスク保持部２ｄ２は、図３に示すようにボールジョイントをなし、アーム３が着脱可能に接続されるように構成されるのでもよい。
【００２３】
アーム３は、例えば図３に示すように、一方の端部がマスク保持部２ｄ２に着脱可能に接続され、他方の端部がアーム支持部材４を介して外部に固定され、マスク部２を所定範囲内で移動可能に保持するようになっている。ここで、アーム３は、アーム支持部材４に例えば着脱可能に取り付けられ、頭部側板１０ａ等に固定される。アーム３は、例えば、複数の棒状部材が相互に連結された可動部、所謂フレキシブルアーム等の変形自在のパイプ等によって構成される可動部を有する。アーム３の可動部は、フレキシブルアーム等の角のない部材によって構成されるのが取り扱い上好ましい。
【００２４】
アーム支持部材４は、例えば図１に示すように、ベッド１０の端部側板１０ａ、壁に設けられた棚、机等に固定される固定部材４ａと、アーム３を着脱可能に接続するアーム接続部４ｂとを有する。固定部材４ａは、例えば図１に示すように、ベッド１０の頭部側板１０ａを挟んで頭部側板１０ａに固定されるようになっている。アーム接続部４ｂは、例えば、アーム３の端部と嵌合し、ピン、ねじ等で固定するように構成される。
【００２５】
以下、本発明による非密着型酸素マスクの使用方法について図面を参照して説明する。図６〜図８は、本発明による非密着型酸素マスクの使用方法についての説明図である。まず、図６に示すように、アーム支持部材４を使用者の頭部近傍の例えばベッド１０の頭部側板１０ａ等に固定する。次に、マスク部２の連通部材２ｄに、酸素管１の対応する端部を開口部が連通するように接続すると共に、連通部材２ｄのマスク保持部２ｄ２にアーム３の対応する端部を接続する。次に、アーム３の他方の端部をアーム支持部材４のアーム接続部４ｂに固定すると共に、酸素管１の他方の端部を例えば壁等に設けられた酸素供給ノズルに接続する。
【００２６】
次に、ベッド１０に仰向けに寝て使用する場合は、例えばフレキシブルアームからなるアーム３を手で湾曲させて又は伸ばして、マスク部２を使用者の鼻及び口の前又は接触する位置に調節する。ここで、マスク部２の向きは、マスク本体に手で回転力を加えて調節される。マスク部２の位置及び向きの調節が完了したとき、酸素供給ノズルを開いて酸素管１経由でマスク部２に酸素を供給する。
【００２７】
また、図７に示すように、ベッド１０を起こした状態でも、上記と同様にアーム３を調節してマスク部２の位置を調節し、マスク部２の向きを手で調節して使用することができる。酸素マスク部２がアーム３によって保持されているため、使用者は酸素マスク部２から離れて飲食等を行うことができる。
【００２８】
図８は、使用者がマスク部を装着して使用する場合についての説明図である。マスク部２は、耳掛けゴムを耳掛け係止爪から外して耳に掛け、装着される。また、耳掛けゴムに代えて面ファスナーを有するマスク係止部材が設けられている場合は、例えば後頭部上で面ファスナーを相互に重ね合わせて接続し、マスク部２を装着する。
【図面の簡単な説明】
【００２９】
【図１】本発明による非密着型酸素マスクの一実施例を模式的に示す斜視図である。
【図２】マスク部の一実施例を模式的に示す図である。
【図３】マスク部がアームによって保持された状態の非密着型酸素マスクを示す説明図である。
【図４】耳掛け係止爪から耳掛けゴムを外した状態のマスク部を示す図である。
【図５】アームを外して装着した状態の非密着型酸素マスクを示す説明図である。
【図６】本発明による非密着型酸素マスクの使用方法についての説明図である。
【図７】ベッドを起こした状態での非密着型酸素マスクの使用方法についての説明図である。
【図８】使用者がマスク部を装着して使用する場合についての説明図である。
【符号の説明】
【００３０】
１  酸素管
２  マスク部
２ａ  マスク本体
２ｂ  耳掛けゴム
２ｃ  耳掛け係止爪
２ｄ  連通部材
２ｄ１  開口部
２ｄ２  マスク保持部
３  アーム
４  アーム支持部材
４ａ  固定部材
４ｂ  アーム接続部
１０  ベッド
１０ａ  ベッドの頭部側板
【図１】
2007296211.tif 000003
【図２】
2007296211.tif 000004
【図３】
2007296211.tif 000005
【図４】
2007296211.tif 000006
【図５】
2007296211.tif 000007
【図６】
2007296211.tif 000008
【図７】
2007296211.tif 000009
【図８】
2007296211.tif 000010